(57)【要約】【課題】  コンパクトで安価な構成で酸素の有効利用効率を高めるとともに、生態系への影響を最小限にすることができる酸素溶解システムを提供する。【解決手段】  酸素溶解システムは、溶存酸素量を改善すべき溶存酸素量改善水域Ｐに酸素気体を溶解させた水を供給する。酸素溶解システムは、溶存酸素量の少ない低濃度溶存酸素水ＷＬを取水する吸込管１０と、吸込管１０内の水に酸素を注入する酸素注入部１２と、大気圧下での飽和溶存酸素量以上に酸素を溶解させた高濃度溶存酸素水ＷＨを生成する減圧部１６と、高濃度溶存酸素水ＷＨを放出する吐出管１８と、高濃度溶存酸素水ＷＨを低濃度溶存酸素水ＷＬと混合させて中濃度溶存酸素水ＷＭを生成し、該中濃度溶存酸素水ＷＭを溶存酸素量改善水域Ｐに放出する混合放出管２０とを備えている。【選択図】  図４
2006305494.tif 000002
【特許請求の範囲】
【請求項１】
溶存酸素量を改善すべき溶存酸素量改善水域に酸素気体を溶解させた水を供給する酸素溶解システムであって、
水に酸素気体を注入して、大気圧下での飽和溶存酸素量以上に酸素を溶解した高濃度溶存酸素水を生成する高濃度溶存酸素水生成部と、
前記高濃度溶存酸素水を低濃度溶存酸素水と混合させて、大気圧下で所定の溶存酸素量になる中濃度溶存酸素水を生成し、該中濃度溶存酸素水を前記溶存酸素量改善水域に放出する混合放出部と、
を備えたことを特徴とする酸素溶解システム。
【請求項２】
前記混合放出部は、周辺の低濃度溶存酸素水を取り込んで前記高濃度溶存酸素水に混合することのできる混合放出管であることを特徴とする請求項１に記載の酸素溶解システム。
【請求項３】
前記混合放出部は、前記溶存酸素量改善水域に接続される送水管の一部により構成されることを特徴とする請求項１に記載の酸素溶解システム。
【請求項４】
前記混合放出部は、大気から隔離された空間で前記高濃度溶存酸素水を低濃度溶存酸素水と混合させることを特徴とする請求項１に記載の酸素溶解システム。
【請求項５】
前記混合放出部は、前記高濃度溶存酸素水が前記中濃度溶存酸素水になるまでの区域を前記溶存酸素量改善水域から区切る生態系保護柵を備えたことを特徴とする請求項４に記載の酸素溶解システム。
【請求項６】
前記混合放出部は、多数の孔が形成された混合放出管であることを特徴とする請求項１に記載の酸素溶解システム。
【発明の詳細な説明】
【技術分野】
【０００１】
本発明は、酸素溶解システムに係り、特に湖沼、河川、導水路等の水の溶存酸素を改善する酸素溶解システムに関するものである。
【背景技術】
【０００２】
例えば、水質汚染の進んだ湖沼、河川、導水路などにおける水は、例えば硫化水素によって悪臭を発生したり、貧酸素状態となり、魚類が生息できない環境となっているため、浄化することが求められている。ここで、水中に酸素や空気を注入（曝気）し、水中の溶存酸素量を増加させ、好気性条件とすることによって生態系への環境改善や硫酸塩還元細菌の活動を抑制し、硫化水素等の発生を防止できることが知られている。このため、湖沼、河川、導水路などの溶存酸素量を改善すべき水域（以下、溶存酸素量改善水域という。）に酸素や空気を溶解させる酸素溶解システムが用いられている。
【０００３】
図１は、このような従来の酸素溶解システムの一例を示す模式図である。図１に示す酸素溶解システムは、溶存酸素量の少ない低濃度溶存酸素水ＷＬを取水する吸込管５００と、吸込管５００内の水に酸素を注入する酸素注入部５０２と、酸素が注入された水を加圧または撹拌するポンプ５０４と、ポンプ５０４で加圧または撹拌された水を減圧して、大気圧下での飽和溶存酸素量以上に酸素を溶解させた高濃度溶存酸素水を生成する減圧部５０６と、高濃度溶存酸素水ＷＨを溶存酸素量改善水域Ｐに放出する吐出管５０８とを備えている。
【０００４】
また、従来の酸素溶解システムの他の例として、図２に示すように、酸素注入部５０２をポンプ５０４の吐出側に設け、酸素が注入された水を加圧タンク（または溶解タンク）５１０内で加圧または撹拌するものも知られている。さらに、従来の酸素溶解システムの他の例として、図３に示すように、エジェクタで酸素を吸い込んで微細気泡を含む高濃度溶存酸素水ＷＨを放出する微細気泡発生装置５１２を吐出管５０８の先端に設けたものも知られている。
【０００５】
ここで、溶存酸素量改善水域Ｐに放出する高濃度溶存酸素水ＷＨは、溶解している酸素量が多く、高濃度溶存酸素水ＷＨの酸素分圧と大気Ｑ中の酸素分圧の差が大きいため、高濃度溶存酸素水ＷＨが大気Ｑに接すると高濃度溶存酸素水ＷＨ中に溶解した酸素Ｒが大気Ｑに抜けやすくなる。したがって、高濃度溶存酸素水ＷＨ中の酸素が周囲の水に拡散する前に高濃度溶存酸素水ＷＨに溶けている酸素の一部が大気Ｑに抜けてしまう。このため、十分な量の酸素を溶存酸素量改善水域Ｐに溶解させるためには、大きな設備が必要となり、敷地面積が広くなり、設備のコストが高くなってしまう。
【０００６】
また、溶存酸素量改善水域Ｐに放出する高濃度溶存酸素水ＷＨの酸素濃度が高いため、溶存酸素量改善水域Ｐ中に生息する魚Ｓなどの生態系への影響も問題となる。
【発明の開示】
【発明が解決しようとする課題】
【０００７】
本発明は、このような従来技術の問題点に鑑みてなされたもので、コンパクトで安価な構成で酸素の有効利用効率を高めるとともに、生態系への影響を最小限にすることができる酸素溶解システムを提供することを目的とする。
【課題を解決するための手段】
【０００８】
上記目的を達成するため、本発明の一態様によれば、コンパクトで安価な構成で酸素の有効利用効率を高めるとともに、生態系への影響を最小限にすることができる酸素溶解システムが提供される。この酸素溶解システムは、溶存酸素量を改善すべき溶存酸素量改善水域に酸素気体を溶解させた水を供給する。上記酸素溶解システムは、水に酸素気体を注入して、大気圧下での飽和溶存酸素量以上に酸素を溶解した高濃度溶存酸素水を生成する高濃度溶存酸素水生成部と、上記高濃度溶存酸素水を低濃度溶存酸素水と混合させて、大気圧下で所定の溶存酸素量になる中濃度溶存酸素水を生成し、該中濃度溶存酸素水を上記溶存酸素量改善水域に放出する混合放出部とを備えている。
【０００９】
上記混合放出部を、周辺の低濃度溶存酸素水を取り込んで上記高濃度溶存酸素水に混合することのできる混合放出管により構成することができる。あるいは、上記混合放出部を、上記溶存酸素量改善水域に接続される送水管の一部により構成することができる。また、上記混合放出部は、大気から隔離された空間で上記高濃度溶存酸素水を低濃度溶存酸素水と混合させるものであってもよい。この場合において、上記混合放出部に、上記高濃度溶存酸素水が上記中濃度溶存酸素水になるまでの区域を上記溶存酸素量改善水域から区切る生態系保護柵を設けることが好ましい。あるいは、上記混合放出部を、多数の孔が形成された混合放出管により構成することができる。
【発明の効果】
【００１０】
本発明によれば、溶存酸素量改善水域には、大気圧下で所定の溶存酸素量になる中濃度溶存酸素水（例えば大気圧下での飽和溶存酸素量付近に希釈した水）が放出されるので、溶存酸素量改善水域での酸素の混合が速まる。また、溶存酸素量改善水域に放出される水の酸素分圧と大気中の酸素分圧の差が小さくなるので、中濃度溶存酸素水に溶解した酸素が大気に抜けることを抑えることができる。したがって、水に溶けた酸素の一部が大気へ抜け出てしまって酸素の有効利用効率が低くなることを防ぐことができる。これにより、装置をコンパクトにすることができ、設備コストを低くすることができる。また、混合することにより高濃度溶存酸素水が希釈され生態系への悪影響の無い程度の酸素濃度まで下げられるので、溶存酸素量改善水域中に生息する魚などの生態系に影響を及ぼすこともなくなる。
【発明を実施するための最良の形態】
【００１１】
以下、本発明に係る酸素溶解システムの実施形態について図４から図９を参照して詳細に説明する。なお、図４から図９において、同一または相当する構成要素には、同一の符号を付して重複した説明を省略する。
【００１２】
図４は、本発明の第１の実施形態における酸素溶解システムを示す模式図である。図４に示すように、本実施形態における酸素溶解システムは、溶存酸素量の少ない低濃度溶存酸素水ＷＬを取水する吸込管１０と、吸込管１０内の水に酸素を注入する酸素注入部１２と、酸素が注入された水を加圧または撹拌するポンプ１４と、ポンプ１４で加圧または撹拌された水を減圧して、大気圧下での飽和溶存酸素量以上に酸素を溶解させた高濃度溶存酸素水を生成する減圧部１６と、高濃度溶存酸素水ＷＨを放出する吐出管１８と、吐出管１８から放出される高濃度溶存酸素水ＷＨを低濃度溶存酸素水ＷＬに混合させて溶存酸素量改善水域Ｐに放出する混合放出管２０とを備えている。本実施形態では、酸素注入部１２、ポンプ１４、および減圧部１６により、低濃度溶存酸素水ＷＬに酸素気体を注入して、大気圧下での飽和溶存酸素量以上に酸素を溶解した高濃度溶存酸素水ＷＨを生成する高濃度溶存酸素水生成部が構成されている。
【００１３】
混合放出管２０の吐出管１８の外周面と端部２０ａの内周面に間隔を設けることにより、高濃度溶存酸素水ＷＨが吐出管１８から放出されるのに伴って、混合放出管２０周辺の低濃度溶存酸素水ＷＬが混合放出管２０の端部２０ａの内周面と吐出管１８の外周面との間から混合放出管２０内に導入されるようになっている。したがって、高濃度溶存酸素水ＷＨが、溶存酸素量改善水域Ｐに放出される前に低濃度溶存酸素水ＷＬと混合され、大気圧下で所定の溶存酸素量を有する中濃度溶存酸素水ＷＭが溶存酸素量改善水域Ｐに放出される。このように、本実施形態では、周辺の低濃度溶存酸素水ＷＬを取り込んで高濃度溶存酸素水ＷＨに混合することのできる混合放出管２０により、高濃度溶存酸素水ＷＨを低濃度溶存酸素水ＷＬと混合させて中濃度溶存酸素水ＷＭを生成し、中濃度溶存酸素水ＷＭを溶存酸素量改善水域Ｐに放出する混合放出部が構成されている。
【００１４】
ここで、例えば、混合放出管２０周辺の低濃度溶存酸素水ＷＬの溶存酸素量ＤＯＩＮ＝１（mg/l）、中濃度溶存酸素水ＷＭの溶存酸素量ＤＯＯ＝８（mg/l）で、その放出量ＱＯ＝１０００（l/min）、高濃度溶存酸素水ＷＨの溶存酸素量のＤＯＹ＝２９（mg/l）とすると、酸素溶解システムから混合放出管２０に吐き出す水量ｑと、混合放出管２０周辺の低濃度溶存酸素水ＷＬの取込量ｑＩＮは、以下の式で求められる。
ｑ＝ＱＯ×（ＤＯＯ−ＤＯＩＮ）／（ＤＯＹ−ＤＯＩＮ）
＝１０００（l/min）×（８−１）（mg/l）／（２９−１）（mg/l）
＝２５０（l/min）
ｑＩＮ＝ＱＯ−ｑ
＝１０００（l/min）−２５０（l/min）
＝７５０（l/min）
このように、所定濃度８（mg/l）の中濃度溶存酸素水ＷＭを１０００（l/min）で放出するには、溶存酸素量２９（mg/l）の高濃度溶存酸素水ＷＨを２５０（l/min）で混合放出管２０に吐き出し、混合放出管２０周辺の低濃度溶存酸素水ＷＬを７５０（l/min）で取り込むことができる関係にする必要がある。
【００１５】
本実施形態における酸素溶解システムによれば、溶存酸素量改善水域Ｐには、大気圧下で所定の溶存酸素量になる中濃度溶存酸素水ＷＭが放出されるので、溶存酸素量改善水域Ｐでの酸素の混合が速まる。また、溶存酸素量改善水域Ｐに放出される水の酸素分圧と大気Ｑ中の酸素分圧の差が小さくなるので、中濃度溶存酸素水ＷＭに溶解した酸素が大気Ｑに抜けることを抑えることができる。したがって、水に溶けた酸素の一部が大気Ｑへ抜け出てしまって酸素の有効利用効率が低くなることを防ぐことができる。さらに、混合することにより高濃度溶存酸素水が希釈され生態系への悪影響の無い程度の酸素濃度まで下げられるので、溶存酸素量改善水域Ｐ中に生息する魚Ｓなどの生態系に影響を及ぼすこともなくなる。
【００１６】
なお、図４では、ポンプ１４として陸上ポンプを用いた例が示されているが、ポンプ１４は陸上ポンプに限られるものではなく、例えば水中ポンプであってもよい。また、図４では、酸素注入部１２がポンプ１４の吸込側に設けられた例が示されているが、酸素注入部１２をポンプ１４の吐出側に設けてもよい。さらに、注入する気体は酸素気体に限られるものではなく、空気などを注入することとしてもよい。
【００１７】
図５は、本発明の第２の実施形態における酸素溶解システムを示す模式図である。本実施形態では、吸込管１０の吸込口１０ａから、溶存酸素量改善水域Ｐではなく、溶存酸素量改善水域Ｐとは別のダム、湖、河川、水道などの外部水域Ｔの低濃度溶存酸素水ＷＬを取水している。その他の点は図４に示す第１の実施形態と同様であるので、ここでは説明を省略する。
【００１８】
図６は、本発明の第３の実施形態における酸素溶解システムを示す模式図である。本実施形態における酸素溶解システムは、池、沼、湖、ダムなどから河川への送水または河川から池、沼、湖、ダムなどへの送水を行う送水管３０が長い場合に管内の水の溶存酸素量が低下して、そのまま河川または池、沼、湖やダムに放出すると問題となるため、放流する前に溶存酸素量を改善する必要がある場合に適用できるものである。
【００１９】
図６に示すように、本実施形態における酸素溶解システムは、送水管３０の内部を流れる低濃度溶存酸素水ＷＬの一部を引き抜く引抜管１１０と、引抜管１１０内の水に酸素を注入する酸素注入部１２と、酸素が注入された水を加圧または撹拌するポンプ１４と、ポンプ１４で加圧または撹拌された水を減圧して、大気圧下での飽和溶存酸素量以上に酸素を溶解させた高濃度溶存酸素水ＷＨを生成する減圧部１６と、高濃度溶存酸素水ＷＨを送水管３０内に放出する吐出管１１８とを備えている。本実施形態では、酸素注入部１２、ポンプ１４、および減圧部１６により、低濃度溶存酸素水ＷＬに酸素気体を注入して、大気圧下での飽和溶存酸素量以上に酸素を溶解した高濃度溶存酸素水ＷＨを生成する高濃度溶存酸素水生成部が構成されている。
【００２０】
このように、本実施形態では、送水管３０から低濃度溶存酸素水ＷＬを引き抜いた部分の下流側に高濃度溶存酸素水ＷＨが戻され、送水管３０内の低濃度溶存酸素水ＷＬと混合され、大気圧下で所定の溶存酸素量を有する中濃度溶存酸素水ＷＭが溶存酸素量改善水域Ｐである河川または池、沼、湖やダムに放出される。すなわち、高濃度溶存酸素水ＷＨが戻される送水管３０の下流部分３０ａにより、高濃度溶存酸素水ＷＨを低濃度溶存酸素水ＷＬと混合させて中濃度溶存酸素水ＷＭを生成し、中濃度溶存酸素水ＷＭを溶存酸素量改善水域Ｐに放出する混合放出部が構成されている。なお、送水管３０から低濃度溶存酸素水ＷＬを引き抜いた部分の下流側に高濃度溶存酸素水ＷＨが戻す方が好ましいが、送水管３０から低濃度溶存酸素水ＷＬを引き抜いた部分の上流側に高濃度溶存酸素水ＷＨを戻してもよい。
【００２１】
ここで、例えば、送水管３０の送水量ＱＩＮ＝１０００（l/min）、低濃度溶存酸素水ＷＬの溶存酸素量ＤＯＩＮ＝１（mg/l）、中濃度溶存酸素水ＷＭの溶存酸素量ＤＯＯ＝８（mg/l）、高濃度溶存酸素水ＷＨの溶存酸素量のＤＯＹ＝２９（mg/l）とすると、酸素溶解システムから放出する必要水量ｑは、以下の式で求められる。
ｑ＝ＱＩＮ×（ＤＯＯ−ＤＯＩＮ）／（ＤＯＹ−ＤＯＩＮ）
＝１０００（l/min）×（８−１）（mg/l）／（２９−１）（mg/l）
＝２５０（l/min）
このように、送水量１０００（l/min）の水を所定濃度８（mg/l）に改善するには、送水管３０から送水量の１／４の水２５０（l/min）を溶存酸素量２９（mg/l）の高濃度溶存酸素水として送水管３０の水に合流・混合させる必要がある。
【００２２】
一般に、２０℃、１気圧の大気圧下での飽和溶存酸素量は８．８４（mg/l）であり、酸素溶解システムから放出する高濃度溶存酸素水の溶存酸素量２９（mg/l）は、大気圧下での飽和溶存酸素量の３倍以上もある。したがって、酸素溶解システムから大気Ｑに接する部分に上記高濃度溶存酸素水を放出すると、溶存酸素量の低い水と混合する前に、水に溶けた酸素の一部が大気へ抜け出てしまう。本実施形態では、酸素溶解システムから放出される高濃度溶存酸素水ＷＨは、大気Ｑに接する前に送水管３０内の低濃度溶存酸素水ＷＬと混合され、大気圧下で所定の溶存酸素量となる中濃度溶存酸素水ＷＭとなるので、溶存酸素量改善水域Ｐで大気圧下に放出しても、水に溶解した酸素の一部が大気Ｑへ抜け出ることがない。また、放出される酸素の濃度が高くないので、溶存酸素量改善水域Ｐ中に生息する魚Ｓなどの生態系に影響を及ぼすこともない。なお、図６では高濃度溶存酸素水ＷＨを送水管３０に放出しているが、本発明の第１の実施形態のように図４の混合放出管２０に放出して混合してもよい。
【００２３】
図７は、本発明の第４の実施形態における酸素溶解システムを示す模式図である。図７に示すように、本実施形態における酸素溶解システムは、送水管３０の内部を流れる低濃度溶存酸素水ＷＬの一部を引き抜く引抜管１１０と、引き抜かれた水を加圧または撹拌するポンプ１４と、エジェクタで酸素を吸い込んで微細気泡を含む高濃度溶存酸素水ＷＨを送水管３０内に放出する微細気泡発生装置４０とを備えている。本実施形態では、ポンプ１４および微細気泡発生装置４０により、低濃度溶存酸素水ＷＬに酸素気体を注入して、大気圧下での飽和溶存酸素量以上に酸素を溶解した高濃度溶存酸素水ＷＨを生成する高濃度溶存酸素水生成部が構成されている。その他の点は図６に示す第３の実施形態と同様であるので、ここでは説明を省略する。
【００２４】
図８は、本発明の第５の実施形態における酸素溶解システムを示す模式図である。図８に示すように、本実施形態における酸素溶解システムは、低濃度溶存酸素水ＷＬを取水する吸込管１０と、吸込管１０内の水に酸素を注入する酸素注入部１２と、酸素が注入された水を加圧または撹拌するポンプ１４と、ポンプ１４で加圧または撹拌された水を減圧して、大気圧下での飽和溶存酸素量以上に酸素を溶解させた高濃度溶存酸素水を生成する減圧部１６と、高濃度溶存酸素水ＷＨを放出する吐出管１８と、吐出管１８から放出される高濃度溶存酸素水ＷＨを低濃度溶存酸素水ＷＬに混合させて溶存酸素量改善水域Ｐに放出する暗渠５０とを備えている。本実施形態では、酸素注入部１２、ポンプ１４、および減圧部１６により、低濃度溶存酸素水ＷＬに酸素気体を注入して、大気圧下での飽和溶存酸素量以上に酸素を溶解した高濃度溶存酸素水ＷＨを生成する高濃度溶存酸素水生成部が構成されている。
【００２５】
暗渠５０は、大気Ｑと接する水面が形成されないように、すなわち、大気Ｑから隔離された空間で高濃度溶存酸素水ＷＨを低濃度溶存酸素水ＷＬと混合させるようになっている。すなわち、本実施形態では、暗渠５０により、高濃度溶存酸素水ＷＨを低濃度溶存酸素水ＷＬと混合させて中濃度溶存酸素水ＷＭを生成し、中濃度溶存酸素水ＷＭを溶存酸素量改善水域Ｐに放出する混合放出部が構成されている。このように、大気Ｑから隔離された空間で高濃度溶存酸素水ＷＨを低濃度溶存酸素水ＷＬに混合させ、大気圧下で所定の溶存酸素量となる中濃度溶存酸素水ＷＭとしているので、溶存酸素量改善水域Ｐに放出される水の酸素分圧と大気Ｑ中の酸素分圧の差が小さくなる。したがって、中濃度溶存酸素水ＷＭに溶解した酸素が大気Ｑに抜けることを抑えることができ、水に溶けた酸素の一部が大気Ｑへ抜け出てしまって酸素の有効利用効率が低くなることを防ぐことができる。
【００２６】
また、暗渠５０には、高濃度溶存酸素水ＷＨが低濃度溶存酸素水ＷＬに十分混合されて中濃度溶存酸素水ＷＭになるまでの区域を溶存酸素量改善水域Ｐから区切る保護柵５２を設け、溶存酸素量改善水域Ｐ中に生息する魚Ｓなどが酸素濃度の高い区域に侵入することを防止することが好ましい。このような保護柵５２を設けることで、溶存酸素量改善水域Ｐ中に生息する魚Ｓなどの生態系に影響を及ぼすこともなくなる。
【００２７】
図９は、本発明の第６の実施形態における酸素溶解システムを示す模式図である。図９に示すように、本実施形態における酸素溶解システムは、低濃度溶存酸素水ＷＬを取水する吸込管１０と、吸込管１０内の水に酸素を注入する酸素注入部１２と、酸素が注入された水を加圧または撹拌するポンプ１４と、ポンプ１４で加圧または撹拌された水を減圧して、大気圧下での飽和溶存酸素量以上に酸素を溶解させた高濃度溶存酸素水ＷＨを生成する減圧部１６と、高濃度溶存酸素水ＷＨを多数の孔６０から溶存酸素量改善水域Ｐに放出する複数の混合放出管６２とを備えている。本実施形態では、酸素注入部１２、ポンプ１４、および減圧部１６により、低濃度溶存酸素水ＷＬに酸素気体を注入して、大気圧下での飽和溶存酸素量以上に酸素を溶解した高濃度溶存酸素水ＷＨを生成する高濃度溶存酸素水生成部が構成されている。
【００２８】
このような構成により、高濃度溶存酸素水ＷＨが多数の孔６０から放出され、孔６０の近傍の溶存酸素量の少ない水に広い範囲で速やかに混合され、大気圧下で所定の溶存酸素量となる中濃度溶存酸素水ＷＭとなる。すなわち、本実施形態では、多数の孔６０が形成された混合放出管６２により、高濃度溶存酸素水ＷＨを低濃度溶存酸素水ＷＬと混合させて中濃度溶存酸素水ＷＭを生成し、中濃度溶存酸素水ＷＭを溶存酸素量改善水域Ｐに放出する混合放出部が構成されている。このように、高濃度溶存酸素水ＷＨを低濃度溶存酸素水ＷＬに速やかに混合させ、大気圧下で所定の溶存酸素量となる中濃度溶存酸素水ＷＭとしているので、溶存酸素量改善水域Ｐに放出される水の酸素分圧と大気Ｑ中の酸素分圧の差が小さくなる。したがって、中濃度溶存酸素水ＷＭに溶解した酸素が大気Ｑに抜けることを抑えることができ、水に溶けた酸素の一部が大気Ｑへ抜け出てしまって酸素の有効利用効率が低くなることを防ぐことができる。
【００２９】
これまで本発明の一実施形態について説明したが、本発明は上述の実施形態に限定されず、その技術的思想の範囲内において種々異なる形態にて実施されてよいことは言うまでもない。
【図面の簡単な説明】
【００３０】
【図１】従来の酸素溶解システムの一例を示す模式図である。
【図２】従来の酸素溶解システムの他の例を示す模式図である。
【図３】従来の酸素溶解システムの他の例を示す模式図である。
【図４】本発明の第１の実施形態における酸素溶解システムを示す模式図である。
【図５】本発明の第２の実施形態における酸素溶解システムを示す模式図である。
【図６】本発明の第３の実施形態における酸素溶解システムを示す模式図である。
【図７】本発明の第４の実施形態における酸素溶解システムを示す模式図である。
【図８】本発明の第５の実施形態における酸素溶解システムを示す模式図である。
【図９】本発明の第６の実施形態における酸素溶解システムを示す模式図である。
【符号の説明】
【００３１】
Ｐ    溶存酸素量改善水域
Ｑ    大気
ＷＬ    低濃度溶存酸素水
ＷＭ    中濃度溶存酸素水
ＷＨ    高濃度溶存酸素水
１０    吸込管
１２    酸素注入部
１４    ポンプ
１６    減圧部
１８，１１８    吐出管
２０，６２    混合放出管
３０    送水管
４０    微細気泡発生装置
５０    暗渠
５２    保護柵
６０    孔
１１０    引抜管
【図１】
2006305494.tif 000003
【図２】
2006305494.tif 000004
【図３】
2006305494.tif 000005
【図４】
2006305494.tif 000006
【図５】
2006305494.tif 000007
【図６】
2006305494.tif 000008
【図７】
2006305494.tif 000009
【図８】
2006305494.tif 000010
【図９】
2006305494.tif 000011